(57)【要約】【課題】簡単な操作で複数の種類の異なるタイプの電源コンセントに対応でき、海外旅行に際して持参する電気製品の使用をより便利にするアダプタープラグを提供する。【解決手段】外筒ケース１内に配装した中筒ケース３内に、複数個のピン６を配装し、各ピンに突設した操作アーム端部９ａを、ケース筒部の縦溝孔１０に係合させてケース外に突出させ、外筒ケースと中筒ケース間に配装した操作スリーブ１１前端の係止縁１２を、各ピンの操作アーム端部の前面側に臨ませ、操作スリーブ内壁に突設し係止体１３端部を、操作スリーブの周方向に位置決めされた位置で、特定のタイプの電源コンセントに対応するピンの操作アーム端部に臨ませ、操作スリーブの前進動で、特定のタイプの電源コンセントに対応するピンを外筒ケース前面に突出させる【選択図】                図１
2004335352.tif 000002
【特許請求の範囲】
【請求項１】
外筒ケース内に、同心に中筒ケースを配装し、中筒ケース内に、複数個のピンを位置決めして配装し、各ピンの基端に突設した操作アームの端部を、ケース筒部に設けた縦溝孔にそれぞれ係合させてケース外に突出させ、外筒ケースと中筒ケース間に操作スリーブを配装し、該操作スリーブ前端に周設した内向き係止縁を、各ピンの操作アーム端部の前面側に臨ませ、また、操作スリーブ内壁に複数個の係止体を突設し、操作スリーブを周方向に回動して位置決めされた位置で、前記係止体端部を、特定のタイプの電源コンセントに対応するピンの操作アーム端部の後面側に臨ませ、操作スリーブの前進動で、特定のタイプの電源コンセントに対応するピンを外筒ケース前面に突出させ、操作スリーブの後退動で、各ピンをケース内に引き戻すことを特徴とするアダプタープラグ。
【請求項２】
外筒ケースの前面板と中筒ケースの前面取着板を重合状に結合し、両板に穿設したピン通孔を経て中筒ケース内の各ピンを外筒ケース前面に突出させることを特徴とする請求項１記載のアダプタープラグ。
【請求項３】
中筒ケースの前面取着板に、各ピン側面に接触する接触ばね部材を取着し、中筒ケース内に配装した中間取着板に、電源コードプラグの電力取り出し用ピンが挿入されるピン受け片を取着し、前記接触ばね部材とピン受け片を導線で電気的に接続したことを特徴とする請求項１又は２記載のアダプタープラグ。
【請求項４】
中筒ケースの中間位置に、各ピンの操作アーム端部が入り込む環状突起を設け、操作スリーブは後退動終点で、操作アーム端部が入り込んだ環状突起を、操作スリーブ前端の係止縁と操作スリーブ内壁の係止体端部間の隙間に位置させて周方向への回動を行うことを特徴とする請求項１〜３のいずれか１項に記載のアダプタープラグ。
【請求項５】
操作スリーブ内壁に設けた係止体を、操作スリーブ内壁に母線方向に延びる突起状に形成し、操作スリーブの前後動に当たって、係止体の通過を許容する凹溝を環状突起に設けたことを特徴とする請求項１〜４のいずれか１項に記載のアダプタープラグ。
【請求項６】
操作スリーブには、その後端縁部から母線方向にスリットを設けて軸心対称位置に係止片を設け、操作スリーブの前進動終点で、該係止片と、係止片が対応する外筒ケースの後端縁部との間に、係脱自在な係合手段を設けたことを特徴とする請求項１〜５のいずれか１項に記載のアダプタープラグ。
【発明の詳細な説明】
【０００１】
【発明の属する技術分野】
本発明は、電気製品の電源コードプラグが、国によって異なる各種タイプの電源コンセントに使用できるようにするアダプタープラグに関するものである。
【０００２】
【従来の技術】
日本国内で使用される電気製品は、日本国内での使用を前提にしていて、一般には、電気製品の電源コードプラグは、日本国内の１００Ｖ仕様の電源コンセントの形状に対応している。この場合の電気製品の電源コードプラグ及び電源コンセントの形状（種類）としては、「Ａタイプ」に属する。また、アメリカでは、１２０Ｖの電圧を使用するが、電源コードプラグ及び電源コンセントの形状（種類）としては、日本と同じ「Ａタイプ」のプラグ及びコンセントが使用されている。
【０００３】
このように、諸外国における電気製品は、使用電圧が異なり、使用する電源コンセント及び電源コードプラグも、様々な形状のものが使用されており、「Ａタイプ」の他にも、主な種類としては、Ｂ，Ｂ３，ＢＦ，０，０２，Ｃ，ＳＥタイプなどがある。
【０００４】
そこで、海外旅行に際して、例えば、パソコンやシェーバー等の身の回りの電気製品を持ち出す場合は、旅行先の国々で、これらの電気製品が使用できるようにするために、従来より、旅行先の国の電源コンセントに対応できる各種のアダプタープラグが市販されている。
【０００５】
このようなアダプタープラグは、海外の電源コンセント形状を日本国内の電源コンセント形状に変更して、日本製の電気製品が海外でも手軽に使用することができるので、海外旅行者にとっては重宝なものである。
【０００６】
また、Ｂ３タイプおよびＢＦタイプの電源コンセントに、小型のＣ，ＳＥタイプの携帯プラグを装着するのに使用する補助プラグとして、絶縁体からなる基板の一面側に、丸ピンからなる第１のマスタキーピンと、携帯プラグの断面形状と同一形状をなす第１の凹部とが設けられ、この第１の凹部には携帯プラグの電力取出し用ピンを挿入する２つのピン挿入穴が形成され、基板の他面側には、平ピンからなる第２のマスタキーピンと、携帯プラグの断面形状と同一形状をなす第２の凹部とが設けられ、この第２の凹部には携帯プラグの電力取出し用ピンを挿入する２つのピン挿入穴を形成した構成のものが提案されている。（例えば、特許文献１参照）。
【０００７】
この補助プラグを、例えば、Ｂ３タイプの電源コンセントに使用する場合は、基板の一面側に形成されている丸ピンからなるマスタキーピンをＢ３タイプの電源コンセントのマスタキーピン穴に挿入して、補助プラグをコンセントに取り付けると、Ｂ３タイプの電源コンセントの電力取出し用ピンを覆っていたシャッタが開かれるので、別に持参したＳＥタイプの携帯プラグを補助プラグの凹部に設けられたピン穴を介してコンセントに差し込んで携帯プラグを凹部にセットすれば、この携帯プラグを介して日本から持参した電気製品に通電して電気製品の使用を可能にするものである。
【０００８】
【特許文献１】
特許第３３１５９４９号
【０００９】
【発明が解決しようとする課題】
ところが、前記する構成の補助プラグの場合、基板の一面側に設けた第１のマスタキーピンは、Ｂ３タイプの電源コンセントに設けられているマスタキーピン穴に差し込んで電力取出し用ピン穴のシャッタを開き、基板の他面側に設けた第２のマスタキーピンは、ＢＦタイプの電源コンセントに設けられているマスタキーピン穴に差し込んで電力取出し用ピン穴のシャッタを開くためのもので、実際に電気製品の使用するには、補助プラグに付随して持参する小形ながらもＣ，ＳＥタイプの２つの携帯プラグを必要とするので、携帯の利便性としては、Ｂ３タイプ及びＢＦタイプの大型の２つの携帯プラグに比べると小型にはなるが、持参個数を少なくするものではない。
【００１０】
そこで、本発明は、Ｂ３タイプの電源コンセント並びにＢＦタイプの電源コンセントに限らず、簡単な操作で複数の種類の異なるタイプの電源コンセントに対応でき、海外に持参する電気製品の使用をより便利にするアダプタープラグを提供することを目的としたものである。
【００１１】
【課題を解決するための手段】
上記の目的を達成するために、本発明に係るアダプタープラグは、外筒ケース内に、同心に中筒ケースを配装し、中筒ケース内に、複数個のピンを位置決めして配装し、各ピンの基端に突設した操作アームの端部を、ケース筒部に設けた縦溝孔にそれぞれ係合させてケース外に突出させ、外筒ケースと中筒ケース間に操作スリーブを配装し、該操作スリーブ前端に周設した内向き係止縁を、各ピンの操作アーム端部の前面側に臨ませ、また、操作スリーブ内壁に複数個の係止体を突設し、操作スリーブを周方向に回動して位置決めされた位置で、前記係止体端部を、特定のタイプの電源コンセントに対応するピンの操作アーム端部の後面側に臨ませ、操作スリーブの前進動で、特定のタイプの電源コンセントに対応するピンを外筒ケース前面に突出させ、操作スリーブの後退動で、各ピンをケース内に引き戻すことを特徴とする。
【００１２】
この構成によれば、後退動終点にある操作スリーブを周方向に回動させて位置決めされた位置に止めて操作スリーブを前進動させるだけで、複数の種類の異なるタイプの電源コンセントに対応できるアダプタープラグとして使用できるので、海外に持参するアダプタープラグの数を少なくして海外における電気製品の使用を便利にするものである。
【００１３】
前記構成において、外筒ケースの前面板と中筒ケースの前面取着板を重合状に結合し、両板に穿設したピン通孔を経て中筒ケース内の各ピンを外筒ケース前面に突出させようにすると、外筒ケースの前面板と中筒ケースの前面取着板とを重合状に結合したことにより、両板に穿設した各ピン通孔は、実質的に長さが増し、各ピン通孔内に挿入されるピンのぐらつきを防止してピンの安定性が向上する。
【００１４】
前記構成において、中筒ケースの前面取着板に、各ピン側面に接触する接触ばね部材を取着し、中筒ケース内に配装した中間取着板に、電源コードプラグの電力取り出し用ピンが挿入されるピン受け片を取着し、前記接触ばね部材とピン受け片を導線で電気的に接続した構成にすると、中筒ケースの前面取着板に埋設状に取着した接触ばね部材は、その一部を常時、各ピンの側面に弾力的に接触させるので、各ピンの動作（摺動）を円滑にするとともに、電気的には接触抵抗を小さくして安定した通電を可能にする。
【００１５】
前記構成において、中筒ケースの中間位置に、各ピンの操作アーム端部が入り込む環状突起を設け、操作スリーブは後退動終点で、操作アーム端部が入り込んだ環状突起を、操作スリーブ前端の係止縁と操作スリーブ内壁の係止体端部間の隙間に位置させて周方向への回動を行うように構成すると、待機位置にあって各ピンの操作アーム端部は環状突起内に入り込んでいて、操作スリーブの回動の妨げにならず、しかも、操作スリーブは、その内面が環状突起に摺接して回動するので、操作スリーブは安定して円滑な回動をする。
【００１６】
前記構成において、操作スリーブ内壁に設けた係止体を、操作スリーブ内壁に母線方向に延びる突起状に形成し、操作スリーブの前後動に当たって、係止体の通過を許容する凹溝を環状突起の外周面に設けた構成にすると、待機位置から操作スリーブが前進動を開始して直ぐに、操作スリーブ内壁で遊びとされる突起条が環状突起外周面の凹溝に入り込んで操作スリーブの前後動をガイドするので、操作スリーブはふらつきがなく安定した前後動を実現する。
【００１７】
前記構成において、操作スリーブには、その後端縁部から母線方向にスリットを設けて軸心対称位置に係止片を設け、操作スリーブの前進動終点で、該係止片と、係止片が対応する外筒ケースの後端縁部との間に、係脱自在な係止手段を設けた構成にすると、操作スリーブを前進動させて中筒ケース内から各ピンを外筒ケースの前面に突出させる上で、操作スリーブが前進動終点に達した時点で、係止片と外筒ケースの後端縁とが自動的に係合するので、アダプタープラグとしての各ピンの突出量が中途半端になったり、使用中に不用意に操作スリーブが後退動したりすることがなく、使用中におけるアダプタープラグとしての形態の維持が図られて安定性に優れたものである。
【００１８】
【発明の実施の形態】
以下、本発明の実施の形態の一例を図面に基づいて説明する。
【００１９】
図１は本発明の実施の形態を示すアダプタープラグの一部の内部機構（ピン）を省いた概略全体断面図、図２は本発明に係るアダプタープラグを構成する外筒ケースの平面図、図３は本発明に係るアダプタープラグを構成する中筒ケースの平面図、図４は同中筒ケースにピンを配装した状態を示す平面図、図５は本発明に係るアダプタープラグを構成する中筒ケースの前半ケース部の正面図、図６（ａ），（ｂ）は本発明に係るアダプタープラグを構成する外筒ケースの平面図と同外筒ケースの一部縦断面図、図７（ａ），（ｂ）は本発明に係るアダプタープラグを構成する中筒ケースの後半ケース部の平面図と同後半ケース部の一部切欠正面図、図８は本発明に係るアダプタープラグを構成する中筒ケースの前面取着板に接触ばね部材を装着した状態を示す正面図である。
【００２０】
これらの図において、前面板２を有する外筒ケース１内に、同心に前面取着板４を有する中筒ケース３を配装している。実施の形態では、外筒ケース１の前面板２に中筒ケース３の前面取着板４を重合状にしてねじ止めして結合している。
【００２１】
中筒ケース３内は中間取着板５により前半ケース部３ａと後半ケース部３ｂに仕切られ、その前半ケース部３ａに、複数個のピン６を位置決めして配装し、各ピン６の先端を中筒ケース３の前面取着板４と外筒ケース１の前面板２に設けたピン通孔７，８（図２，３参照）に臨ませ、また、各ピン６の基端に操作アーム９を突設し、その端部９ａをケース筒に設けた縦溝孔１０にそれぞれ係合させてケース外に突出させている。
【００２２】
外筒ケース１と中筒ケース３との間に、筒状の操作スリーブ１１を配装している。この操作スリーブ１１は、その前端に内向きに係止縁１２を周設し、これをケース筒外に突出する各ピン６の操作アーム端部９ａの前面側に臨ませ、操作スリーブ１１の内壁には、周方向に位置決めされて複数個の係止体１３を母線方向に延びる突起状に設け、その端部と係止縁１２間に隙間１４（図６参照）を形成している。
【００２３】
操作スリーブ１１は、後退動終点で各ピン６を中筒ケース３内に引き戻して待機させる際に、各ピン６の操作アーム端部９ａを、操作スリーブ１１の係止縁１２と係止体１３との隙間１４に位置させるもので、この状態で操作スリーブ１１の周方向への回動を可能にしている。
【００２４】
また、操作スリーブ１１には、その後端縁部から母線方向にスリット１５を設けて軸心対称位置に係止片１６を設け、操作スリーブ１１の前進動終点で、この係止片１６と、係止片１６が対応する外筒ケース１のケース筒後端縁部との間に、係脱自在な係止手段１７を設け、各ピン６の突出が中途半端になったり、使用中に不用意に操作スリーブ１１が後退動するようなことがないようにしている。なお、係止手段１７としては、係止用突起が係止段に弾力的に引っ掛かる程度のものでよい。
【００２５】
また、操作スリーブ１１は後退動終点で周方向へ回動させて位置決めされた位置に止めた状態で、複数の係止体１３の端部が特定のタイプの電源コンセントに対応するピン６の操作アーム端部９ａの後面側に臨ませるようにしている。従って、この位置で操作スリーブ１１を前進動させると、係止体１３の端部が操作アーム端部９ａを押圧して特定のタイプの電源コンセントに対応する複数のピン６だけを外筒ケース１の前面に突出させるようにしている。
【００２６】
なお、操作スリーブ１１は周方向へ回動して位置決めされた位置で、係止体１３の端部が特定のタイプの電源コンセントに対応するピン６の操作アーム端部９ａの後面側に臨ませるので、操作スリーブ１１は、位置決めされた位置に正確に止まるようにするために、図示はしていないが、外筒ケース１と操作スリーブ１１との間には、適宜の目印が設けられる。
【００２７】
操作スリーブ１１の周方向への回動と前後動を円滑にするために、中筒ケース３の前半ケース部３ａと後半ケース部３ｂの接合部で、後半ケース部３ｂの外周に環状突起１８を設けている。この環状突起１８の前面側には、待機位置にある各ピン６の操作アーム端部９ａが入り込む凹部１９を切り込み状に設け、この凹部１９に操作アーム端部９ａを入り込ませた状態で、操作スリーブ１１は環状突起１８をガイドにして周方向への回動が円滑に行われるようにしている。また、環状突起１８の外周面側には、操作スリーブ１１が周方向に位置決めされた位置に止まって前進動する際に、操作スリーブ１１内壁で遊びとされる係止体１３が入り込む凹溝２０を切り込み状に設け、操作スリーブ１１が前進動する際には、操作スリーブ１１内壁で遊びとされる係止体１３が凹溝２０をガイドにして軸心方向に移動して操作スリーブ１１の前後動を円滑にするようにしている。
【００２８】
中筒ケース３の前面取着板４に、各ピン６の側面に接触する接触ばね部材２１を埋設状に取着し、この接触ばね部材２１の一部を常時、各ピン６の側面に弾力的に接触させて各ピン６の動作が円滑に行われるようにしている。
【００２９】
また、中筒ケース３の前半ケース部３ａと後半ケース部３ｂを仕切る中間取着板５には、後半ケース部３ｂ内にあって電源コードプラグの電力取り出し用ピンが挿入されるピン受け片２２を取着し、このピン受け片２２と前記接触ばね部材２１を導線２２で電気的に接続している。
【００３０】
また、実施の形態では、中筒ケース３を組み立てる上で中筒ケース３内中心に連結部材２３を配し、この連結部材２３の前端に中筒ケース３の前面取着板４をねじ止めし、連結部材２３の中間位置に中間取着板５を固着し、連結部材２３の後端に端板２４をねじ止めして後半ケース部３ｂの後端開口を閉鎖し、この端板２４には、電源コードプラグの電力取り出し用ピンが差し込まれるピン穴２５を穿設している。
【００３１】
次に本発明に係るアダプタープラグの具体的な実施例を図９〜１１を参照しながら説明する。
【００３２】
この実施例で、本発明に係るアダプタープラグは、Ｂ３タイプ、ＢＦタイプ、Ｂタイプ、０２タイプ、Ａタイプ、Ｏタイプの合計６タイプの電源コンセントにそれぞれに使用できるように、複数個のピンはピン組６Ａ〜６Ｆを構成している。
【００３３】
図９（ａ）〜（ｆ）は、各ピン組を構成する各ピンの正面図を示す。
【００３４】
図９（ａ）  Ｂ３タイプの電源コンセントに使用するピン組６Ａを示す。このピン組６Ａは、３個のピン６Ａ−１，６Ａ−２，６Ａ−３からなり、ピン６Ａ−１は、大型丸ピンからなるマスタキーピンとして、Ｂ３タイプの電源コンセントに設けられているマスタキーピン穴に差し込んで電力取出し用ピン穴のシャッタを開かせるためのものである。
【００３５】
図９（ｂ）  ＢＦタイプの電源コンセントに使用するピン組６Ｂを示す。このピン組６Ｂは、３個のピン６Ｂ−１，６Ｂ−２，６Ｂ−３からなり、ピン６Ｂ−１は、大型角ピンからなるマスタキーピンで、ＢＦタイプの電源コンセントに設けられているマスタキーピン穴に差し込んで電力取出し用ピン穴のシャッタを開かせるためのものである。
【００３６】
図９（ｃ）  Ｂタイプの電源コンセントに使用するピン組６Ｃを示す。このピン組６Ｃは、２個のピン６Ｃ−１，６Ｃ−２からなる。
【００３７】
図９（ｄ）  ０２タイプの電源コンセントに使用するピン組６Ｄを示す。このピン組６Ｄは、３個のピン６Ｄ−１，６Ｄ−２，６Ｄ−３からなる。
【００３８】
図９（ｅ）  Ａタイプの電源コンセントに使用するピン組６Ｅを示す。このピン組６Ｅは、２個のピン６Ｅ−１，６Ｅ−２からなる。
【００３９】
図９（ｆ）  Ｏタイプの電源コンセントに使用するピン組６Ｆを示す。このピン組６Ｆは、２個のピン６Ｆ−１，６Ｆ−２からなる。
【００４０】
なお、前記のピン６Ｄ−３、ピン６Ｅ−２及びピン６Ｆ−２には、共通のピンが使用されるが、このピンの操作アームは二股状になっていてピン組によって使い分けるようにしている。
【００４１】
図１０（ａ）〜（ｆ）は、中筒ケースを周方向に位置決めされた位置に止めた状態で、操作スリーブ内壁に設けた係止体が各ピン組毎に各ピンに対応する状態を示す平面図である。
【００４２】
図１０（ａ）  操作スリーブ１１の係止体１３は、Ｂ３タイプの電源コンセントに使用するピン組６Ａを構成する３個のピン６Ａ−１，６Ａ−２，６Ａ−３に対応している。
【００４３】
この状態で操作スリーブ１１を前進動させると、図１１（ａ）に示すように、これらの３個のピン６Ａ−１，６Ａ−２，６Ａ−３が外筒ケース１の前面に突出してＢ３タイプのアダプタープラグになる。
【００４４】
図１０（ｂ）  操作スリーブ１１の係止体１３は、ＢＦタイプの電源コンセントに使用するピン組６Ｂを構成する３個のピン６Ｂ−１，６Ｂ−２，６Ｂ−３に対応している。
【００４５】
この状態で操作スリーブ１１を前進動させると、図１１（ｂ）に示すように、これらの３個のピン６Ｂ−１，６Ｂ−２，６Ｂ−３が外筒ケース１の前面に突出してＢＦタイプのアダプタープラグになる。
【００４６】
図１０（ｃ）  操作スリーブ１１の係止体１３は、Ｂタイプの電源コンセントに使用するピン組６Ｃを構成する２個のピン６Ｃ−１，６Ｃ−２に対応している。
この状態で操作スリーブ１１を前進動させると、図１１（ｃ）に示すように、これらの２個のピン６Ｃ−１，６Ｃ−２が外筒ケース１の前面に突出してＢタイプのアダプタープラグになる。
【００４７】
図１０（ｄ）  操作スリーブ１１の係止体１３は、０２タイプの電源コンセントに使用するピン組６Ｄを構成する３個のピン６Ｄ−１，６Ｄ−２，６Ｄ−３に対応している。
【００４８】
この状態で操作スリーブ１１を前進動させると、図１１（ｄ）に示すように、これらの３個のピン６Ｄ−１，６Ｄ−２，６Ｄ−３（後記するピン６Ｅ−２及びピン６Ｆ−２と共通）が外筒ケース１の前面に突出してＯ２タイプのアダプタープラグになる。
【００４９】
図１０（ｅ）  操作スリーブ１１の係止体１３は、Ａタイプの電源コンセントに使用するピン組６Ｅを構成する２個のピン６Ｅ−１，６Ｅ−２に対応している。
【００５０】
この状態で操作スリーブ１１を前進動させると、図１１（ｅ）に示すように、これらの２個のピン６Ｅ−１，６Ｅ−２が外筒ケース１の前面に突出してＡタイプのアダプタープラグになる。
【００５１】
図１０（ｆ）  操作スリーブ１１の係止体１３は、Ｏタイプの電源コンセントに使用するピン組６Ｆを構成する２個のピン６Ｆ−１，６Ｆ−２に対応している。
【００５２】
この状態で操作スリーブ１１を前進動させると、図１１（ｆ）に示すように、これらの２個のピン６Ｆ−１，６Ｆ−２が外筒ケース１の前面に突出してＯタイプのアダプタープラグになる。
【００５３】
【発明の効果】
本発明は、以上説明したような形態で実施され、本発明によれば、共通の中筒ケース内に、複数の異なるタイプの電源コンセント形状に対応できる複数個のピンが配装してあって、簡単な操作で必要とされるピンをケース前面に突出させて使用するので、外国旅行に際して持参するアダプタープラグの数を少なくして携帯に便利なものである。また、使用しない時に各ピンはケース内に引き戻されてケース外への突出がないので、突出するピンによる嵩張りがなく、形態的にも必要最小限の縮小化を可能にしたものである。
【図面の簡単な説明】
【図１】本発明の実施の形態を示すアダプタープラグの一部の内部構成（ピン）を省いた概略全体断面図である。
【図２】本発明に係るアダプタープラグを構成する外筒ケースの平面図である。
【図３】本発明に係るアダプタープラグを構成する中筒ケースの平面図である。
【図４】中筒ケースにピンを配装した状態を示す平面図である。
【図５】本発明に係るアダプタープラグを構成する中筒ケースの前半ケース部の正面図である。
【図６】（ａ）、（ｂ）は本発明に係るアダプタープラグを構成する外筒ケースの平面図と同外筒ケースの一部縦断面である。
【図７】（ａ）、（ｂ）は本発明に係るアダプタープラグを構成する中筒ケースの後半ケース部の平面図と同後半ケース部の一部切欠正面図である。
【図８】本発明に係るアダプタープラグを構成する中筒ケースの前面取着板に接触ばね部材を装着した状態を示す正面図である。
【図９】（ａ）〜（ｆ）は、各ピン組を構成する各ピンの正面図である。
【図１０】（ａ）〜（ｆ）は、中筒ケースに対し周方向に位置決めされた位置に操作スリーブを止めた状態で、操作スリーブ内壁の係止体が各ピン組毎に各ピンに対応する状態を示す平面図である。
【図１１】（ａ）〜（ｆ）は、各ピン組毎に、各ピンが外筒ケースの前面に突出してそれぞれにタイプの異なるアダプタープラグとして使用可能な状態を示す要部の斜視図である。
【符号の説明】
１  外筒ケース
２  前面板
３  中筒ケース
３ａ  前半ケース部
３ｂ  後半ケース部
４  前面取着板
５  中間取着板
６  ピン
７  ピン通孔
８  ピン通孔
９  操作アーム
９ａ  操作アーム端部
１０  縦溝孔
１１  操作スリーブ
１２  係止縁
１３  係止体
１４  隙間
１５  スリット
１６  係止片
１７  係止手段
１８  環状突起
１９  凹部
２０  凹溝
２１  部材
２２  片
２２  導線
２３  連結部材
２４  端板
２５  ピン穴
【図１】
2004335352.tif 000003
【図２】
2004335352.tif 000004
【図３】
2004335352.tif 000005
【図４】
2004335352.tif 000006
【図５】
2004335352.tif 000007
【図６】
2004335352.tif 000008
【図７】
2004335352.tif 000009
【図８】
2004335352.tif 000010
【図９】
2004335352.tif 000011
【図１０】
2004335352.tif 000012
【図１１】
2004335352.tif 000013